(57)【要約】      （修正有）【課題】店内において客が立って移動することなく飲料を取得でき、店内において多数配置できるテーブル及び客席構造を提供する。【解決手段】テーブル１００は、長手方向に沿って客席が配置される天板５０と、天板の長手方向に沿って隣り合う客席の間に配置された脚部５１、５２と、脚部が配置されている上方に位置する天板の一部分に立設された２つのディスペンサ１１ａ、１１ｂからなる飲料供給タワー１０と、を備え、２つのディスペンサは、天板の長手方向に沿って並べられ、それぞれが飲料を吐出する供給口１３と、天板の上面から垂直方向に延び供給口に繋がっている供給管１２と、を備え、供給管の位置から供給口の位置に向かう第１方向が互いに逆方向に向いている。【選択図】図４
0003235093.tif 000002
【実用新案登録請求の範囲】
【請求項１】
長手方向に沿って客席が配置される天板と、
前記天板の長手方向に沿って隣り合う前記客席の間に配置された脚部と、
前記脚部が配置されている上方に位置する前記天板の一部分に立設された２つのディスペンサからなる飲料供給タワーと、を備え、
前記２つのディスペンサは、
前記天板の長手方向に沿って並べられ、
それぞれが飲料を吐出する供給口と、前記天板の上面から垂直方向に延び前記供給口に繋がっている供給管と、を備え、
前記供給管の位置から前記供給口の位置に向かう第１方向が互いに逆方向に向いている、飲料供給タワー付きテーブル。
【請求項２】
前記脚部は、
前記２つのディスペンサが設置されている前記天板の一部分から下方に向かって延びる２つの第１脚部から構成され、
前記２つの第１脚部の間には、
前記２つのディスペンサに接続される飲料を供給するための機器が配置される空間が形成されている、請求項１に記載の飲料供給タワー付きテーブル。
【請求項３】
前記天板は、
複数の前記飲料供給タワーが立設されている、請求項１又は２に記載の飲料供給タワー付きテーブル。
【請求項４】
前記２つのディスペンサは、
距離をおいて配置されている、請求項１〜３の何れか１項に記載の飲料供給タワー付きテーブル。
【請求項５】
請求項１〜４の何れか１項に記載の２つの飲料供給タワー付きテーブルを備え、
前記２つのテーブルが並列する方向を第２方向としたときに、
前記２つのテーブルがそれぞれ備える前記飲料供給タワーは、
前記第２方向に並んで配置されている、客席構造。
【請求項６】
請求項１〜４の何れか１項に記載の２つの飲料供給タワー付きテーブルを備え、
前記２つの飲料供給タワー付きテーブルが並列する方向を第２方向としたときに、
前記２つの飲料供給タワー付きテーブルがそれぞれ備える前記飲料供給タワーは、
前記第１方向にずれた位置に配置されている、客席構造。
【考案の詳細な説明】
【技術分野】
【０００１】
本考案は、飲食店において使用するテーブル及びそのテーブルを用いた客席構造に関する。
【背景技術】
【０００２】
従来、居酒屋などの飲食店において設置されている飲料供給装置が知られている。飲料供給装置は、客が自ら必要な時に必要な量の飲料を確保できるセルフサービス方式的によって飲料を提供することにより、店員の配膳作業労力低減を図れる（例えば、特許文献１を参照）。
【先行技術文献】
【特許文献】
【０００３】
【特許文献１】実開平５−６９７号公報
【考案の概要】
【考案が解決しようとする課題】
【０００４】
特許文献１に開示されている飲料供給装置は、テーブルに取り付けられ、飲料を供給する供給部から飲料が提供されるように構成されている。しかし、飲料供給装置は周囲で客が飲食を行うようには構成されておらず、客は飲料を取得するために飲料供給装置の前に立って移動して飲料を取得する必要があった。また、仮に飲料供給装置の近傍において客が飲食を行えるスペースを設けたテーブルにしたとしても、飲料供給装置とテーブルとを組み合わせた構造は大きく、店内に数多く設置することができないという課題があった。
【０００５】
本考案は、上記の課題を解決するものであり、店内において客が飲料を取得し易く、店内において客席を効率良く配置できる飲料供給タワー付きテーブル及び客席構造を提供することを目的とする。
【課題を解決するための手段】
【０００６】
本考案に係る飲料供給タワー付きテーブルは、長手方向に沿って客席が配置される天板と、前記天板の長手方向に沿って隣り合う前記客席の間に配置された脚部と、前記脚部が配置されている上方に位置する前記天板の一部分に立設された２つのディスペンサからなる飲料供給タワーと、を備え、前記２つのディスペンサは、前記天板の長手方向に沿って並べられ、それぞれが飲料を吐出する供給口と、前記天板の上面から垂直方向に延び前記供給口に繋がっている供給管と、を備え、前記供給管の位置から前記供給口の位置に向かう第１方向が互いに逆方向に向いている。
【０００７】
本考案に係る客席構造は、２つの上記テーブルを備え、前記２つのテーブルが並列する方向を第２方向としたときに、前記２つのテーブルがそれぞれ備える前記飲料供給タワーは、前記第２方向に並んで配置されている。
【０００８】
本考案に係る客席構造は、２つの上記テーブルを備え、前記２つのテーブルが並列する方向を第２方向としたときに、前記２つのテーブルがそれぞれ備える前記飲料供給タワーは、前記第１方向にずれた位置に配置されている。
【考案の効果】
【０００９】
本考案のテーブルは、長手方向に沿って配置されている客席の間に２つのディスペンサから構成されている飲料供給タワーを備える。２つのディスペンサが逆方向を向いて配置されているため、飲料供給タワーの両サイドに居る客は客席に座ったままディスペンサから飲料を取得できる。そして、２つのディスペンサは、テーブルの脚部の上方に位置する天板の一部分にひとまとめに立設されているため、飲料供給に関係する機器を客席を配置することができないテーブルの脚部の近傍に置くことができる。そのため、ディスペンサ及びそれに関連する機器が客席を削減することなく、店内の客席を効率的に設置することができる。
【図面の簡単な説明】
【００１０】
【図１】実施の形態１に係るテーブル１００の斜視図である。
【図２】実施の形態１に係るテーブル１００の正面図である。
【図３】実施の形態１に係るテーブル１００を用いた客席構造１０００の平面図である。
【図４】実施の形態１に係るテーブル１００の断面図である。
【図５】実施の形態２に係る客席構造２０００の平面図である。
【考案を実施するための形態】
【００１１】
以下に、本考案に係るテーブル１００、２００、客席構造１０００及び２０００の実施の形態について説明する。なお、図面の形態は一例であり、本考案を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１２】
実施の形態１．
図１は、実施の形態１に係るテーブル１００の斜視図である。図２は、実施の形態１に係るテーブル１００の正面図である。図３は、実施の形態１に係るテーブル１００を用いた客席構造１０００の平面図である。図１に示されるテーブル１００は、飲料供給タワー付きテーブルであり、接続される飲料供給用の機器６２（図４参照）が一部省略されている。テーブル１００は、一方向に長い天板５０を備え、天板５０から下方に延びる第１脚部５１及び第２脚部５２を備える。第１脚部５１が配置されている上方の天板５０の一部の領域には飲料供給タワー１０が立設されている。天板５０上には２か所に飲料供給タワー１０が配置され、その両サイドは、客が利用するスペースとなっている。
【００１３】
天板５０は、客が向かい合わせで座って、天板５０の上面に料理、飲料及び皿を置いて飲食を楽しめる程度の幅を有する。具体的には、一方の席に着いた成人が手を伸ばした時に反対側のテーブルの端に手が届く程度に構成されており、７０ｃｍ〜１００ｃｍ程度に設定されている。客が席について向かい合う方向を天板５０の幅方向と呼ぶ。天板５０の幅方向は、天板５０の長手方向に直交する方向であり、天板５０の上面に沿った方向である。客席は、幅方向に直交する方向に沿って複数配置される。つまり、天板５０の長手方向に沿って客席が複数配置される。例えば、天板５０の長手方向に沿って、客席となる椅子６０が配置されており、客は椅子６０に腰掛けてゆっくり飲食を楽しむことができる。
【００１４】
図１に示すように、飲料供給タワー１０が設置されている天板５０の領域の下方には、天板５０の幅方向の両端縁に沿って設置され、下方に延びる２つの第１脚部５１が設けられている。第１脚部５１は、板状の部材により構成され、板面が天板５０の幅方向を向き、また板面が天板５０の長手方向に対して平行に配置されている。第１脚部５１は、テーブル１００の飲料供給タワー１０が配置されている一か所ごとに２つずつ配置されている。２つの第１脚部５１は、天板５０の幅方向において対向して配置されている。また、テーブル１００は、２つの第１脚部５１の下端部同士を接続する底板５３を有する。２つの第１脚部５１の間は、空間５４が形成されている。空間５４は、天板５０の下面、底板５３の上面、及び第１脚部５１の内側の面により囲まれた空間である。
【００１５】
図４は、実施の形態１に係るテーブル１００の断面図である。図４は、図３のＡ−Ａ部を示している。空間５４には飲料供給タワー１０に飲料を供給するための機器６２が配置される。飲料供給タワー１０を構成するディスペンサ１１ａ及び１１ｂは、それぞれ天板５０の下方において機器６２と接続されている。機器６２は、飲料を冷やした状態に保持したり、飲料の材料を混合してディスペンサ１１ａ又は１１ｂに供給する。
【００１６】
飲料供給タワー１０は、２つのディスペンサ１１ａ及び１１ｂから構成されている。ディスペンサ１１ａ及び１１ｂはそれぞれ逆方向を向いて設置されている。ディスペンサ１１ａ及び１１ｂは、機器６２に接続する供給管１２と、供給管１２の先端に設けられた供給口１３と、操作部１４と、を備える。客は、操作部１４を手で倒すことにより供給口１３から飲料を吐出させることができるが、ディスペンサ１１ａ及び１１ｂの形態は図に示されるもののみに限定されるものではない。例えば、操作部１４は、ボタン操作により飲料を吐出させるものであっても良いし、ひねることにより飲料を吐出させるものでもよい。
【００１７】
ディスペンサ１１ａ及び１１ｂは、供給管１２から供給口１３に向かう第１方向（図４に示す矢印ａ及び矢印ｂ）を、天板５０の長手方向に沿って配置させている。ディスペンサ１１ａの第１方向（矢印ａ）とディスペンサ１１ｂの第１方向（矢印ｂ）とは、互いに逆方向を向いている。ディスペンサ１１ａ及び１１ｂとは、距離Ｗをおいてひとまとめに設置されているため、天板５０において大きな領域を占めることがない。したがって、飲料供給タワー１０は、天板５０上において設置される領域が限定され、客席として利用できる領域を大きくとることができる。また、ディスペンサ１１ａ及び１１ｂは互いに逆方向を向いているため、飲料供給タワー１０の両サイドに位置する客がそれぞれディスペンサ１１ａ又は１１ｂを好きな時に利用できる。
【００１８】
例えば、図４に示すように一つのディスペンサ１１ｂを２つの客席（椅子６０ｂ及び６０ｃ）から利用できるように、飲料供給タワー１０を配置しても良い。このように客席を配置することにより、図３に示す客席構造１０００の領域Ｐの椅子６０に座った客は、ディスペンサ１１ｂを実質的に専用のものとして使用できる。よって、領域Ｐの客は、好きな時に待つことなく飲料を取得できるとともに、ディスペンサ１１ｂが他の不特定多数に使用されることがなく、衛生的にも良い印象を受けるため、安心して使用できる。また、店側としても客が入れ替わるたびに清掃し、ディスペンサ１１ｂを清潔に保つサービスが容易にできる利点がある。
【００１９】
なお、図３に示される客席構造１０００の領域Ｑに示すように、対向して配置された２つのディスペンサ１１ａ及び１１ｂに対し、６つの客席を対応させても良い。ディスペンサ１１ａ又は１１ｂに対応させる客席の数は、適宜調整でき、店の規模、ターゲットとする客層などに合わせて設定すればよい。例えば、領域Ｑに８つの客席を配置することもできる。この場合、４人でディスペンサ１１ａ又は１１ｂを使用できるため、領域Ｑに居る客は、席に着いたままストレスなく飲料を取得できる。
【００２０】
テーブル１００は、飲料供給タワー１０を一部に集約して配置しているため、機器６２もまとめて一か所に配置できる。したがって、客席として利用できる領域を極力損なうことが無い。また、機器６２を配置する領域には天板５０を支持するために必須の構造である第１脚部５１も配置されている。よって、機器６２と第１脚部５１とをテーブル１００の同じ領域に集中して配置することにより、機器６２と第１脚部５１とが別々に客席として利用できる領域を侵害することがなく、客席の配置を効率的に行える。また、図３に示すように、飲料供給タワー１０及び第１脚部５１が配置されている区間Ｌは、客席を配置しなければ、客席の間隔を大きくとれるスペースとなるため、例えば異なる２つの客グループの距離を適度に離すことができる。これにより、客は他のグループの客を意識することなく快適に飲食を楽しむことができる。
【００２１】
図３に示す区間Ｌは、飲料供給タワー１０の両サイドに配置されている２つの客席の間の距離を示している。この区間Ｌで表される領域は、例えば荷物置き等のスペースとして活用することもできる。飲料供給タワー１０が天板５０上に設置されている領域は、客が利用できる領域を多く確保するという観点からは、なるべく小さくすることが望ましいが、その領域により生ずる区間Ｌを荷物置きスペースに利用したり、客が利用する調味料を置いたり、メニューを置いたりするスペースとして活用できる。このように、長尺の天板５０を有するテーブル１００に部分的に飲料供給タワー１０を集約して配置することにより、客の利便性を向上させつつ、客席の配置効率の高いテーブル１００が得られる。実施の形態１に係る客席構造１０００によれば、少なくとも２つのテーブル１００が並列されており、２つのテーブル１００が備える飲料供給タワー１０は、２つのテーブル１００が並列する第２方向に並ぶように構成されている。
【００２２】
また、図４に示すように、２つのディスペンサ１１ａ及び１１ｂは、間隔Ｗをおいて配置されているため、その間に衝立６１を配置することもできる。衝立６１の配置により、例えば図３の領域Ｐでの飲料の飛沫が領域Ｑに及ぶことを抑制したり、領域Ｐで会話している声が領域Ｑに伝わりにくくしたり、領域Ｐの客から領域Ｑの客を視認しにくくするなどの効果が得られる。なお、２つのディスペンサ１１ａ及び１１ｂの間隔Ｗは、衝立６１を設置することを考慮して適宜距離を調整すればよい。なお、衝立６１は、天板５０に固定されても良い。
【００２３】
実施の形態２．
実施の形態２においては、第２方向に並べられたテーブル１００を有する客席構造２０００について説明する。実施の形態２に係る客席構造２０００は、実施の形態１に係る客席構造１０００に対し、飲料供給タワー１０の配置を変更したものである。実施の形態２においては、実施の形態１に係る客席構造１０００に対する相違点を中心に説明する。
【００２４】
図５は、実施の形態２に係る客席構造２０００の平面図である。実施の形態２に係る客席構造２０００は、２つのテーブル１００及び２００を備えるが、一方のテーブル２００は、飲料供給タワー１０の位置が天板５０の長手方向にずれた位置に配置されている。換言すると、テーブル２００は、テーブル１００と長手方向の向きを反対にして配置されている。このように構成されていることにより、飲料供給タワー１０により生じる客席が設けられていない区間Ｌの位置がテーブル１００とテーブル２００とでずれる。そのため、客同士が背中合わせで位置する領域が減少し、客の配置を適度に分散させることができる。
【００２５】
なお、隣り合って並列されているテーブル１００及び２００において、飲料供給タワーの配置は図５の形態のみに限定されるものではない。例えば、テーブル２００の飲料供給タワー１０Ａ又は１０Ｂをテーブル１００の２つの飲料供給タワー１０の中央に来るように配置しても良い。
【００２６】
実施の形態２に係る客席構造２０００によれば、飲料供給タワー１０を第１方向にずらして配置したテーブル１００及び２００を隣り合って並べることにより、効率よく客席とスペースを配置することができ、客席の快適性が向上する。
【００２７】
以上の実施の形態に示した構成は、一例を示すものであり、実施の形態及びその変形例同士を組み合わせることもできる。また、以上の実施の形態に別の公知の技術と組み合わせることも可能であるし、要旨を逸脱しない範囲で、構成の一部を省略、変更することも可能である。例えば、客席構造２０００は、さらに多くのテーブル１００及び２００から構成されていても良いし、各テーブル１００及び２００が長手方向にさらに長く構成されていても良い。また、実施の形態１及び２において、ディスペンサ１１ａ及び１１ｂの向き、つまり第１方向は、テーブル１００及び２００の天板５０の長手方向に平行にして配置されているが、長手方向に対し傾斜させて配置されていても良い。また、ディスペンサ１１ａとディスペンサ１１ｂとが逆方向を向いていれば、第１方向と天板５０の長手方向とが直交するように配置されていても良い。
【符号の説明】
【００２８】
１０      ：飲料供給タワー
１０Ａ    ：飲料供給タワー
１０Ｂ    ：飲料供給タワー
１１ａ    ：ディスペンサ
１１ｂ    ：ディスペンサ
１２      ：供給管
１３      ：供給口
１４      ：操作部
５０      ：天板
５１      ：第１脚部
５２      ：第２脚部
５３      ：底板
５４      ：空間
６０      ：椅子
６０ｂ    ：椅子
６１      ：衝立
６２      ：機器
１００    ：テーブル
２００    ：テーブル
１０００  ：客席構造
２０００  ：客席構造
【図１】
0003235093.tif 000003
【図２】
0003235093.tif 000004
【図３】
0003235093.tif 000005
【図４】
0003235093.tif 000006
【図５】
0003235093.tif 000007